(57)【要約】【課題】誤認を生じやすい入力要素をユーザにとって、識別可能に表示する。【解決手段】誤認しやすい文字や記号、数字等の入力に用いられる入力要素同士を関連付けたデータベースを参照して、入力されたデータから誤認しやすい入力要素を検出し、その検出された誤認しやすい入力要素ごとに、フォント、スタイル、色、サイズを割り当て、割り当てられた表示形態で検出された誤認しやすい入力要素を表示する。【選択図】図３
2011145792.tif 000002
【特許請求の範囲】
【請求項１】
データを入力し、表示するデータ処理装置であって、
誤認しやすい文字や記号、数字等の入力に用いられる入力要素同士を関連付けたデータベースと、
該データベースを参照して、誤認しやすい入力要素を識別可能に表示する表示制御手段と、
を備えたことを特徴とするデータ処理装置。
【請求項２】
前記表示制御手段が、誤認しやすい入力要素ごとに、フォント、スタイル、色、サイズを変えて表示することを特徴とする請求項１に記載のデータ処理装置。
【請求項３】
前記表示制御手段が、誤認しやすい入力要素ごとに、強調表示をすることを特徴とする請求項２に記載のデータ処理装置。
【請求項４】
前記表示制御手段が、誤認しやすい入力要素同士を組にして、識別可能に表示することを特徴とする請求項１に記載のデータ処理装置。
【請求項５】
前記表示制御手段が、誤認しやすい入力要素同士を組にして、各組ごとにフォントを変えて表示することを特徴とする請求項４に記載のデータ処理装置。
【請求項６】
前記表示制御手段が、誤認しやすい入力要素同士を組にして、各組ごとにスタイルを変えて表示することを特徴とする請求項４に記載のデータ処理装置。
【請求項７】
前記表示制御手段が、誤認しやすい入力要素同士を組にして、各組ごとに色を変えて表示することを特徴とする請求項４に記載のデータ処理装置。
【請求項８】
前記表示制御手段が、誤認しやすい入力要素同士を組にして、各組ごとにサイズを変えて表示することを特徴とする請求項４に記載のデータ処理装置。
【請求項９】
前記表示制御手段が、誤認しやすい入力要素同士を組にして、強調表示をすることを特徴とする請求項４から請求項８のいずれかに記載のデータ処理装置。
【請求項１０】
データを入力し、表示するデータ処理装置におけるデータ処理方法であって、
誤認しやすい文字や記号、数字等の入力に用いられる入力要素同士を関連付けたデータベースを参照して、入力されたデータから誤認しやすい入力要素を検出する第１のステップと、
該検出された誤認しやすい入力要素ごとに、フォント、スタイル、色、サイズを割り当てる第２のステップと、
割り当てられた表示形態で前記検出された誤認しやすい入力要素を表示する第３のステップと、
を備えたことを特徴とするデータ処理方法。
【請求項１１】
データを入力し、表示するデータ処理装置におけるデータ処理方法であって、
誤認しやすい文字や記号、数字等の入力に用いられる入力要素同士を関連付けたデータベースを参照して、入力されたデータから誤認しやすい入力要素同士の組を検出する第１のステップと、
該検出された誤認しやすい入力要素同士の組ごとに、フォント、スタイル、色、サイズを割り当てる第２のステップと、
割り当てられた表示形態で前記検出された誤認しやすい入力要素同士の組を表示する第３のステップと、
を備えたことを特徴とするデータ処理方法。
【請求項１２】
データを入力し、表示するデータ処理装置におけるデータ処理方法をコンピュータに実行させるためのプログラムであって、
誤認しやすい文字や記号、数字等の入力に用いられる入力要素同士を関連付けたデータベースを参照して、入力されたデータから誤認しやすい入力要素を検出する第１のステップと、
該検出された誤認しやすい入力要素ごとに、フォント、スタイル、色、サイズを割り当てる第２のステップと、
割り当てられた表示形態で前記検出された誤認しやすい入力要素を表示する第３のステップと、
をコンピュータに実行させるためのプログラム。
【請求項１３】
データを入力し、表示するデータ処理装置におけるデータ処理方法をコンピュータに実行させるためのプログラムであって、
誤認しやすい文字や記号、数字等の入力に用いられる入力要素同士を関連付けたデータベースを参照して、入力されたデータから誤認しやすい入力要素同士の組を検出する第１のステップと、
該検出された誤認しやすい入力要素同士の組ごとに、フォント、スタイル、色、サイズを割り当てる第２のステップと、
割り当てられた表示形態で前記検出された誤認しやすい入力要素同士の組を表示する第３のステップと、
をコンピュータに実行させるためのプログラム。
【発明の詳細な説明】
【技術分野】
【０００１】
本発明は、データを入力し、表示するデータ処理装置、データ処理方法およびプログラムに関し、特に、誤認を生じやすい入力要素を識別可能に表示するデータ処理装置、データ処理方法およびプログラムに関する。
【背景技術】
【０００２】
従来、文書画像中でタイトルや書き手が読み手に強く伝えたい部分等については、他の部分と異なる文字の大きさや色、フォントを用いたり、アンダーライン等の文字以外の記号を付与して強調する場合が多い。
【０００３】
このような文書強調方法としては、例えば、文字の情報と色の情報を対で保存し、書き手が必要部分を強調した文書を容易に作成することのできる技術が提案されている（例えば、特許文献１参照。）。また、書き手が異なる色を用いて強調した情報を容易に表示するためのカラーパレットの工夫についての技術も提案されている。すなわち、これらの技術は、文書の書き手が意図的に強調するものである。
【０００４】
一方で、書き手が意図的に強調処理を行うのではなく、文書の必要な部分に対して自動的に強調処理を行う方法として、ひらがなとカタカナの同形文字等のように読み手で判断のつき難い文字についてフォントを変えて表示する方法が提案されている（例えば、特許文献２参照。）。
【０００５】
さらに、利用者にとって強調部分が認知しやすい文書強調方法として、判定用画像生成部が、例えば、強調部分の表示に用いる候補の複数の色の同じ大きさと形状の画像の判定用画像を画像表示部を介してディスプレイに表示し、強調処理部が、各画像を表示してからユーザが個数を応えるまでの反応時間を測定して、各色毎の平均応答時間の最も短い色を強調色と定め、文書入力部から入力される文書の強調部分の文字色を当該決定した強調色とする表示用文書を作成し、画像表示部が、この強調された表示用文書をディスプレイに表示する技術が開示されている（例えば、特許文献３参照。）。
【先行技術文献】
【特許文献】
【０００６】
【特許文献１】特開平９−１２０３９８号公報
【特許文献２】特公平２−２６２５６号公報
【特許文献３】特開２００４−５４４０６号公報
【発明の概要】
【発明が解決しようとする課題】
【０００７】
上記のように、文書の強調方法をユーザが独自にカスタマイズする方法やこれを自動的に行う方法は多く考案されている。一方で、入力されるデータの中には、識別が困難で、誤認を生じるものがいくつかあり、入力されたデータを確認しても入力ミスに気がつかない場合がある。つまり、あるテキスト文字列が他のテキスト文字列と識別可能に強調表示されても、上記のように誤認を生じる注目すべきデータは、やはり、埋もれてしまい、単に、強調表示をするだけでは、入力ミスを発見できないという問題がある。
【０００８】
そこで、本発明は、上述の課題に鑑みてなされたものであり、誤認を生じやすい入力要素をユーザにとって、識別可能に表示するデータ処理装置、データ処理方法およびプログラムを提供することを目的とする。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、データを入力し、表示するデータ処理装置であって、誤認しやすい文字や記号、数字等の入力に用いられる入力要素同士を関連付けたデータベースと、該データベースを参照して、誤認しやすい入力要素を識別可能に表示する表示制御手段と、を備えたことを特徴とするデータ処理装置を提案している。
【００１１】
この発明によれば、データベースは、誤認しやすい文字や記号、数字等の入力に用いられる入力要素同士を関連付けて記憶する。表示制御手段は、データベースを参照して、誤認しやすい入力要素を識別可能に表示する。したがって、誤認しやすい入力要素同士を簡単に識別できるため、入力ミスを容易に発見することができる。
【００１２】
（２）本発明は、（１）のデータ処理装置について、前記表示制御手段が、誤認しやすい入力要素ごとに、フォント、スタイル、色、サイズを変えて表示することを特徴とするデータ処理装置を提案している。
【００１３】
この発明によれば、表示制御手段が、誤認しやすい入力要素ごとに、フォント、スタイル、色、サイズを変えて表示する。したがって、フォント、スタイル、色、サイズ等の違いから、誤認しやすい入力要素同士を簡単に識別できる。
【００１４】
（３）本発明は、（２）のデータ処理装置について、前記表示制御手段が、誤認しやすい入力要素ごとに、強調表示をすることを特徴とするデータ処理装置を提案している。
【００１５】
この発明によれば、表示制御手段が、誤認しやすい入力要素ごとに、強調表示をする。したがって、フォント、スタイル、色、サイズ等を変えて、さらに、強調表示をすることから、誤認しやすい入力要素同士を簡単に識別できる。
【００１６】
（４）本発明は、（１）のデータ処理装置について、前記表示制御手段が、誤認しやすい入力要素同士を組にして、識別可能に表示することを特徴とするデータ処理装置を提案している。
【００１７】
この発明によれば、表示制御手段が、誤認しやすい入力要素同士を組にして、識別可能に表示する。したがって、ともに誤認しやすい入力要素を組にして、識別できるため、より確実に入力ミスを発見することができる。
【００１８】
（５）本発明は、（４）のデータ処理装置について、前記表示制御手段が、誤認しやすい入力要素同士を組にして、各組ごとにフォントを変えて表示することを特徴とするデータ処理装置を提案している。
【００１９】
この発明によれば、表示制御手段が、誤認しやすい入力要素同士を組にして、各組ごとにフォントを変えて表示する。したがって、フォントの違いから誤認しやすい入力要素同士を組にして容易に検出することができる。
【００２０】
（６）本発明は、（４）のデータ処理装置について、前記表示制御手段が、誤認しやすい入力要素同士を組にして、各組ごとにスタイルを変えて表示することを特徴とするデータ処理装置を提案している。
【００２１】
この発明によれば、表示制御手段が、誤認しやすい入力要素同士を組にして、各組ごとにスタイルを変えて表示する。したがって、スタイルの違いから誤認しやすい入力要素同士を組にして容易に検出することができる。
【００２２】
（７）本発明は、（４）のデータ処理装置について、前記表示制御手段が、誤認しやすい入力要素同士を組にして、各組ごとに色を変えて表示することを特徴とするデータ処理装置を提案している。
【００２３】
この発明によれば、表示制御手段が、誤認しやすい入力要素同士を組にして、各組ごとに色を変えて表示する。したがって、色の違いから誤認しやすい入力要素同士を組にして容易に検出することができる。
【００２４】
（８）本発明は、（４）のデータ処理装置について、前記表示制御手段が、誤認しやすい入力要素同士を組にして、各組ごとにサイズを変えて表示することを特徴とするデータ処理装置を提案している。
【００２５】
この発明によれば、表示制御手段が、誤認しやすい入力要素同士を組にして、各組ごとにサイズを変えて表示する。したがって、サイズの違いから誤認しやすい入力要素同士を組にして容易に検出することができる。
【００２６】
（９）本発明は、（４）から（８）のデータ処理装置について、前記表示制御手段が、誤認しやすい入力要素同士を組にして、強調表示をすることを特徴とするデータ処理装置を提案している。
【００２７】
この発明によれば、表示制御手段が、誤認しやすい入力要素同士を組にして、強調表示をする。したがって、フォント、スタイル、色、サイズ等を変えて、さらに、強調表示をすることから、誤認しやすい入力要素同士を簡単に識別できる。
【００２８】
（１０）本発明は、データを入力し、表示するデータ処理装置におけるデータ処理方法であって、誤認しやすい文字や記号、数字等の入力に用いられる入力要素同士を関連付けたデータベースを参照して、入力されたデータから誤認しやすい入力要素を検出する第１のステップと、該検出された誤認しやすい入力要素ごとに、フォント、スタイル、色、サイズを割り当てる第２のステップと、割り当てられた表示形態で前記検出された誤認しやすい入力要素を表示する第３のステップと、を備えたことを特徴とするデータ処理方法を提案している。
【００２９】
この発明によれば、誤認しやすい文字や記号、数字等の入力に用いられる入力要素同士を関連付けたデータベースを参照して、入力されたデータから誤認しやすい入力要素を検出し、その検出された誤認しやすい入力要素ごとに、フォント、スタイル、色、サイズを割り当て、割り当てられた表示形態で検出された誤認しやすい入力要素を表示する。したがって、誤認しやすい入力要素同士を簡単に識別できるため、入力ミスを容易に発見することができる。
【００３０】
（１１）本発明は、データを入力し、表示するデータ処理装置におけるデータ処理方法であって、誤認しやすい文字や記号、数字等の入力に用いられる入力要素同士を関連付けたデータベースを参照して、入力されたデータから誤認しやすい入力要素同士の組を検出する第１のステップと、該検出された誤認しやすい入力要素同士の組ごとに、フォント、スタイル、色、サイズを割り当てる第２のステップと、割り当てられた表示形態で前記検出された誤認しやすい入力要素同士の組を表示する第３のステップと、を備えたことを特徴とするデータ処理方法を提案している。
【００３１】
この発明によれば、データを入力し、表示するデータ処理装置におけるデータ処理方法であって、誤認しやすい文字や記号、数字等の入力に用いられる入力要素同士を関連付けたデータベースを参照して、入力されたデータから誤認しやすい入力要素同士の組を検出し、その検出された誤認しやすい入力要素同士の組ごとに、フォント、スタイル、色、サイズを割り当て、割り当てられた表示形態で検出された誤認しやすい入力要素同士の組を表示する。したがって、ともに誤認しやすい入力要素を組にして、識別できるため、より確実に入力ミスを発見することができる。
【００３２】
（１２）本発明は、データを入力し、表示するデータ処理装置におけるデータ処理方法をコンピュータに実行させるためのプログラムであって、誤認しやすい文字や記号、数字等の入力に用いられる入力要素同士を関連付けたデータベースを参照して、入力されたデータから誤認しやすい入力要素を検出する第１のステップと、該検出された誤認しやすい入力要素ごとに、フォント、スタイル、色、サイズを割り当てる第２のステップと、割り当てられた表示形態で前記検出された誤認しやすい入力要素を表示する第３のステップと、をコンピュータに実行させるためのプログラムを提案している。
【００３３】
この発明によれば、誤認しやすい文字や記号、数字等の入力に用いられる入力要素同士を関連付けたデータベースを参照して、入力されたデータから誤認しやすい入力要素を検出し、その検出された誤認しやすい入力要素ごとに、フォント、スタイル、色、サイズを割り当て、割り当てられた表示形態で検出された誤認しやすい入力要素を表示する。したがって、誤認しやすい入力要素同士を簡単に識別できるため、入力ミスを容易に発見することができる。
【００３４】
（１３）本発明は、データを入力し、表示するデータ処理装置におけるデータ処理方法をコンピュータに実行させるためのプログラムであって、誤認しやすい文字や記号、数字等の入力に用いられる入力要素同士を関連付けたデータベースを参照して、入力されたデータから誤認しやすい入力要素同士の組を検出する第１のステップと、該検出された誤認しやすい入力要素同士の組ごとに、フォント、スタイル、色、サイズを割り当てる第２のステップと、割り当てられた表示形態で前記検出された誤認しやすい入力要素同士の組を表示する第３のステップと、をコンピュータに実行させるためのプログラムを提案している。
【００３５】
この発明によれば、データを入力し、表示するデータ処理装置におけるデータ処理方法であって、誤認しやすい文字や記号、数字等の入力に用いられる入力要素同士を関連付けたデータベースを参照して、入力されたデータから誤認しやすい入力要素同士の組を検出し、その検出された誤認しやすい入力要素同士の組ごとに、フォント、スタイル、色、サイズを割り当て、割り当てられた表示形態で検出された誤認しやすい入力要素同士の組を表示する。したがって、ともに誤認しやすい入力要素を組にして、識別できるため、より確実に入力ミスを発見することができる。
【発明の効果】
【００３６】
本発明によれば、１文字ずつフォント、スタイル、色、サイズを変えて表示することができるため、注意すべき文字が埋もれてしまうことなく、入力間違いに気づくことが可能となる。また、誤認しやすいもの同士を組にして、フォント、スタイル、色、サイズを変えて表示することができるため、注意すべき文字が埋もれてしまうことなく、入力間違いに気づくことが可能となる。
【図面の簡単な説明】
【００３７】
【図１】第１の実施形態に係るデータ処理装置の構成を示す図である。
【図２】第１の実施形態に係るデータ処理装置の表示データを例示的に示す図である。
【図３】第１の実施形態に係るデータ処理装置の処理フローである。
【図４】第２の実施形態に係るデータ処理装置の構成を示す図である。
【図５】第２の実施形態に係るデータ処理装置の表示データを例示的に示す図である。
【図６】第２の実施形態に係るデータ処理装置の処理フローである。
【発明を実施するための形態】
【００３８】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３９】
＜第１の実施形態＞
図１から図３を用いて、本発明の第１の実施形態について説明する。
【００４０】
＜データ処理装置の構成＞
図１を用いて、本実施形態に係るデータ処理装置の構成について説明する。
本実施形態に係るデータ処理装置は、図１に示すように、データ入力部１０１と、データベース１０２と、表示制御部１０３と、表示部１０４とから構成されている。
【００４１】
データ入力部１０１は、いわゆるパソコンの場合のキーボードに相当し、プログラムや文章の記載のために必要な情報を入力する。データベース１０２は、誤認しやすい入力要素をデータベース化して記憶する。
【００４２】
表示制御部１０３は、データ入力部１０１から入力されたデータをデータベース１０２とつき合わせて入力されたデータから誤認しやすい入力要素を抽出するとともに、その各要素について、例えば、フォントやスタイル、色、サイズの変更や強調表示などの処理を行い、他の要素と識別可能になるような処理を行う。
【００４３】
具体的に説明すると、図２に示すように、（１）は、入力されたオリジナルデータであり、（２）では、誤認しやすい入力要素のフォントを変更している。また、（３）では、誤認しやすい入力要素のみを斜体表示としてスタイルを変更し、（４）では、誤認しやすい入力要素のみに下線を付している。さらに、（５）では、誤認しやすい入力要素のみについて、文字サイズを変更している。なお、このほかにも、誤認しやすい入力要素のみの色を変えたり、強調表示にするなどの処理を行ってもよい。そして、表示部１０４は、表示制御部１０３において処理された入力データを表示する。
【００４４】
＜データ処理装置の処理＞
図３を用いて、本実施形態に係るデータ処理装置の処理について説明する。
まず、データ処理装置は、キーボード等から入力されたデータに対して、その情報を取得する処理を行う（ステップＳ１０１）。次に、誤認しやすい文字や記号、数字等の入力に用いられる入力要素同士を関連付けたデータベースを参照して、入力されたデータから誤認しやすい入力要素を検出する（ステップＳ１０２）。
【００４５】
さらに、その検出された誤認しやすい入力要素ごとに、フォント、スタイル、色、サイズを割り当て（ステップＳ１０３）、割り当てられた表示形態で検出された誤認しやすい入力要素を表示する（ステップＳ１０４）。
【００４６】
以上、説明したように、本実施形態によれば、誤認しやすい入力要素同士を簡単に識別できるため、入力ミスを容易に発見することができる。
【００４７】
＜第２の実施形態＞
図４から図６を用いて、本発明の第２の実施形態について説明する。
【００４８】
＜データ処理装置の構成＞
図４を用いて、本実施形態に係るデータ処理装置の構成について説明する。
本実施形態に係るデータ処理装置は、図１に示すように、データ入力部１０１と、表示部１０４と、データベース１０５と、表示制御部１０６とから構成されている。なお、データ入力部１０１および表示部１０４の機能は、第１の実施形態と同様であるため、その詳細な説明は、省略する。
【００４９】
データベース１０５は、誤認しやすい入力要素同士を組にして、これをデータベース化して記憶する。
【００５０】
表示制御部１０３は、データ入力部１０１から入力されたデータをデータベース１０２とつき合わせて入力されたデータから誤認しやすい入力要素同士を組にして抽出するとともに、その入力要素同士の組について、例えば、フォントやスタイル、色、サイズの変更や強調表示などの処理を行い、他の要素と識別可能になるような処理を行う。
【００５１】
具体的に説明すると、図５に示すように、（１）は、入力されたオリジナルデータであり、（２）では、誤認しやすい入力要素同士の組ごとにフォントを変更している。また、（３）では、誤認しやすい入力要素同士の組ごとに斜体表示としてスタイルを変更し、（４）では、誤認しやすい入力要素同士の組ごとに下線を付している。さらに、（５）では、誤認しやすい入力要素同士の組ごとに、文字サイズを変更している。なお、このほかにも、誤認しやすい入力要素同士の組ごとに色を変えたり、強調表示にするなどの処理を行ってもよい。
【００５２】
＜データ処理装置の処理＞
図３を用いて、本実施形態に係るデータ処理装置の処理について説明する。
まず、データ処理装置は、キーボード等から入力されたデータに対して、その情報を取得する処理を行う（ステップＳ２０１）。次に、誤認しやすい文字や記号、数字等の入力に用いられる入力要素同士の組を関連付けたデータベースを参照して、入力されたデータから誤認しやすい入力要素同士の組を検出する（ステップＳ２０２）。
【００５３】
さらに、その検出された誤認しやすい入力要素同士の組ごとに、フォント、スタイル、色、サイズを割り当て（ステップＳ２０３）、割り当てられた表示形態で検出された誤認しやすい入力要素同士の組を表示する（ステップＳ１０４）。
【００５４】
以上、説明したように、本実施形態によれば、ともに誤認しやすい入力要素を組にして、識別できるため、より確実に入力ミスを発見することができる。
【００５５】
なお、データ処理装置の処理をコンピュータ読み取り可能な記録媒体に記録し、この記録媒体に記録されたプログラムをデータ処理装置に読み込ませ、実行することによって本発明のデータ処理装置を実現することができる。ここでいうコンピュータシステムとは、ＯＳや周辺装置等のハードウェアを含む。
【００５６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００５７】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００５８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５９】
１０１；データ入力部
１０２；データベース
１０３；表示制御部
１０４；表示部
１０５；データベース
１０６；表示制御部
【図１】
2011145792.tif 000003
【図２】
2011145792.tif 000004
【図３】
2011145792.tif 000005
【図４】
2011145792.tif 000006
【図５】
2011145792.tif 000007
【図６】
2011145792.tif 000008